(57)【要約】【課題】  複数の可動部材を有する演出装置を備えた遊技機において、各可動部材の支持が安定して行い難い構造であったとしても、可動演出部材同士を十分に位置決めした状態で接合させることができるようにする。【解決手段】  前面に遊技領域を備える遊技盤（１２）と、表示装置（４０）と該表示装置の前方で動作可能な可動部材を有する演出装置（３０）とを備え、前記遊技盤に設けられた開口部内に取り付けられるセンターケース（２０）とを有する遊技機において、演出装置には、表示装置の表示部の側方に位置して互いに離間した第１状態と、前記表示装置の表示部の前方へ移動して互いに当接した第２状態とに変換可能な複数の可動部材（３２，３３）と、複数の可動部材を移動させるための１つの駆動手段（３１）と、複数の可動部材の互いに当接し合う部位に装着された吸着手段（３５１）および被吸着手段（３５２）を設けた。【選択図】  図１２
2011125588.tif 000002
【特許請求の範囲】
【請求項１】
前面に遊技領域を備える遊技盤と、
表示装置と該表示装置の前方で動作可能な可動部材を有する演出装置と、
前記遊技盤に設けられた開口部内に取り付けられる前面装飾枠と、を有するセンターケースを備えた遊技機において、
前記演出装置は、
前記表示装置の表示部の側方に位置して互いに離間した第１状態と、前記表示装置の表示部の前方へ移動して互いに当接した第２状態とに変換可能な複数の可動部材と、
前記複数の可動部材を移動させるための１つの駆動手段と、
前記複数の可動部材の互いに当接し合う部位に装着された吸着手段および被吸着手段と、
を備え、
前記吸着手段および被吸着手段は、各々合成樹脂製の保持部材に遊嵌された状態で前記複数の可動部材の互いに当接し合う部位に取り付けられることを特徴とする遊技機。
【請求項２】
前記吸着手段は磁石、また前記被吸着手段は磁性体片であることを特徴とする請求項１に記載の遊技機。
【請求項３】
前記複数の可動部材は上下左右に分割された４個の可動部材であり、各々一端が前記表示装置の上方に位置する軸によって回動可能に軸支されたアーム部材によってそれぞれ支持され、
前記軸にはそれぞれ前記駆動手段によって回動される歯車が装着され、
前記４個の可動部材のうち上側の一対の可動部材を支持する一対のアーム部材は互いに交差するように配置されていることを特徴とする請求項２に記載の遊技機。
【請求項４】
前記前面装飾枠は、該前面装飾枠の右側下部に第２の可動部材を備え、
当該前面装飾枠の下部には発光手段およびその駆動回路を構成する電気部品が実装された発光装飾基板を備え、
前記発光装飾基板は、前記第２の可動部材が配置されている前面装飾枠右側が左側よりも面積が小さく設定されており、
前記磁石は、前記４個の可動部材のうち下方一対の右側の可動部材の当接部に装着され、前記磁性体片は下方一対の左側の可動部材の当接部に装着されていることを特徴とする請求項３に記載の遊技機。
【請求項５】
前記前面装飾枠は透明もしくは半透明の部材で構成され、
前記４個の可動部材は、それぞれ発光手段を内蔵し、前記第１状態では前記前面装飾枠の後方で前記表示装置の前方四隅にそれぞれ位置することを特徴とする請求項４に記載の遊技機。
【請求項６】
前記４個の可動部材は、各々前記アーム部材が設けられている側と反対の端部に、前記演出装置のベースに設けられたガイド孔に案内されるガイドアームがそれぞれ結合されており、
前記ガイドアームのうち前記上側の一対の可動部材に結合されたガイドアームは、前記下側の一対の可動部材を支持するアーム部材の後方に重なるように配置されていることを特徴とする請求項５に記載の遊技機。
【発明の詳細な説明】
【技術分野】
【０００１】
本発明は、前面に遊技領域を備える遊技盤と、表示装置と該表示装置の前方で動作可能な可動部材を有する演出装置とを備え前記遊技盤に設けられた開口部内に取り付けられるセンターケースとを有する遊技機に関する。
【背景技術】
【０００２】
従来の遊技機、例えばパチンコ遊技機においては、遊技盤の表面に遊技領域を区画形成し、該遊技領域内には、変動表示ゲームが表示される表示装置の表示部を望ませた包囲枠体（所謂センターケース）や、変動表示ゲームを開始するための始動入賞口等を配置している。また、遊技に関わる演出効果を向上させるために、包囲枠体（センターケース）の左右両側に可動部材を備える演出装置を配置し、変動表示ゲームの進行に伴って可動部材を作動させるように構成したものが存在している。
【０００３】
さらに近年においては、演出効果のさらなる向上、および既存のパチンコ遊技機との差別化を図るために、例えば、包囲枠体（センターケース）の左右両側から表示装置の表示部前方へ可動部材を移動し、２つの可動部材を１つの装飾体に見えるように接合する演出装置が考えられている。また、可動部材の移動範囲を広く設定して、動的な演出効果を高めるようにした発明も提案されている（例えば、特許文献１）。
【先行技術文献】
【特許文献】
【０００４】
【特許文献１】特開２００９−１１２６５５号公報
【発明の概要】
【発明が解決しようとする課題】
【０００５】
しかしながら、演出装置の可動部材の移動範囲を広くすると、可動部材の支持が安定して行い難くなり、このような不安定な支持状態では、予め設定された位置からずれた状態で可動部材同士が当接してしまうようになる。その結果、複数の可動部材を接合させて１つの装飾体として見えるように構成したとしても、この装飾体が歪んで見えてしまい、かえって演出効果を損なう虞がある。
【０００６】
本発明は、上記のような課題を解決するためになされたもので、所定の範囲で移動可能で互いに接合離反可能にされた複数の可動部材を有する演出装置を備えた遊技機において、各可動部材の支持が安定して行い難い構造であったとしても、可動部材同士を十分に位置決めした状態で接合させることができるようにすることを目的とする。
【課題を解決するための手段】
【０００７】
請求項１に記載の発明は、
前面に遊技領域を備える遊技盤と、
表示装置と該表示装置の前方で動作可能な可動部材を有する演出装置と、
前記遊技盤に設けられた開口部内に取り付けられる前面装飾枠と、を有するセンターケースを備えた遊技機において、
前記演出装置は、
前記表示装置の表示部の側方に位置して互いに離間した第１状態と、前記表示装置の表示部の前方へ移動して互いに当接した第２状態とに変換可能な複数の可動部材と、
前記複数の可動部材を移動させるための１つの駆動手段と、
前記複数の可動部材の互いに当接し合う部位に装着された吸着手段および被吸着手段と、
を備え、
前記吸着手段および被吸着手段は、各々合成樹脂製の保持部材に遊嵌された状態で前記複数の可動部材の互いに当接し合う部位に取り付けられることを特徴としている。
【０００８】
請求項１に記載の発明によれば、複数の可動部材の支持が安定して行い難い第２状態に変換した場合にも、吸着手段の吸着力によって可動部材同士をあまりずらさずに位置決めした状態で当接させることができ、歪みの少ない設定どおりの装飾体を出現させることができる。これによって、可動部材が表示装置の前方で大きく移動するような構成である場合にも、可動部材の位置ずれで演出効果が損なわれるのを回避して、迫力のある演出を支障なく実行させることができる。また、吸着手段と被吸着手段が各々合成樹脂製の保持部材に遊嵌された状態で可動部材に取り付けられるため、可動部材同士の当接の際の衝撃を和らげ、衝撃で可動部材の当接部が磨耗したり、劣化、破損するのを回避することができる。
【０００９】
請求項２に記載の発明は、請求項１に記載の遊技機において、
前記吸着手段は磁石、また前記被吸着手段は磁性体片であることを特徴としている。
【００１０】
請求項２に記載の発明によれば、吸着手段と被吸着手段をそれぞれ１つの部品で安価に構成することができる。
【００１１】
請求項３に記載の発明は、請求項２に記載の遊技機において、
前記複数の可動部材は上下左右に分割された４個の可動部材であり、各々一端が前記表示装置の上方に位置する軸によって回動可能に軸支されたアーム部材によってそれぞれ支持され、
前記軸にはそれぞれ前記駆動手段によって回動される歯車が装着され、
前記４個の可動部材のうち上側の一対の可動部材を支持する一対のアーム部材は互いに交差するように配置されていることを特徴としている。
【００１２】
請求項３に記載の発明によれば、上側の一対の可動部材を支持する一対のアーム部材は互いに交差するように配置しているので、駆動手段からの駆動力を伝え回動させる歯車の数を交差しない場合に比べて少なくすることができるとともに、歯車の数が少ない分、歯車の径を大きく設計して駆動力の小さな駆動手段によって作動させることができるようになる。
【００１３】
請求項４に記載の発明は、請求項３に記載の遊技機において、
前記前面装飾枠は、該前面装飾枠の右側下部に第２の可動部材を備え、
当該前面装飾枠の下部には発光手段およびその駆動回路を構成する電気部品が実装された発光装飾基板を備え、
前記発光装飾基板は、前記第２の可動部材が配置されている前面装飾枠右側が左側よりも面積が小さく設定されており、
前記磁石は、前記４個の可動部材のうち下方一対の右側の可動部材の当接部に装着され、前記磁性体片は下方一対の左側の可動部材の当接部に装着されていることを特徴としている。
【００１４】
請求項４に記載の発明によれば、発光装飾基板の面積の小さい側に吸着手段としての磁石が来るように配置されているため、逆の場合に比べて磁石の磁力による発光装飾基板への影響を少なくすることができる。また、センターケースの下部に遊技球が転動可能なステージが設けられている場合にも、センターケースの前面装飾枠の右側下部に第２の可動部材を設けることで、ステージへの遊技球の飛込みをそれほど妨げることなく装飾効果をさらに高めることができる。
【００１５】
請求項５に記載の発明は、請求項４に記載の遊技機において、
前記前面装飾枠は透明もしくは半透明の部材で構成され、
前記４個の可動部材は、それぞれ発光手段を内蔵し、前記第１状態では前記前面装飾枠の後方で前記表示装置の前方四隅にそれぞれ位置することを特徴としている。
【００１６】
請求項５に記載の発明によれば、可動部材が表示装置の前方四隅にそれぞれ位置している通常状態でも、可動部材に内蔵されている発光手段を発光させると前面装飾枠を明るく光らせることができるため、可動部材が表示装置の中央側へ移動した演出状態はもちろん通常状態でも演出効果を発揮させることができる。
【００１７】
請求項６に記載の発明は、請求項５に記載の遊技機において、
前記４個の可動部材は、各々前記アーム部材が設けられている側と反対の端部に、前記演出装置のベースに設けられたガイド孔に案内されるガイドアームがそれぞれ結合されており、
前記ガイドアームのうち前記上側の一対の可動部材に結合されたガイドアームは、前記下側の一対の可動部材を支持するアーム部材の後方に重なるように配置されていることを特徴としている。
【００１８】
請求項６に記載の発明によれば、可動部材にガイドアームを設けることによって可動部材の移動を安定させることができるとともに、上側の一対の可動部材のガイドアームは下側の一対の可動部材を支持するアーム部材の後方に重なるように配置されるため、ガイドアームが前方から見えにくくなり、演出効果が損なわれるのを回避することができる。
【発明の効果】
【００１９】
本発明によれば、所定の範囲で移動可能で互いに接合離反可能にされた複数の可動部材を有する演出装置を備えた遊技機において、各可動部材の支持が安定して行い難い構造であったとしても、可動部材同士を十分に位置決めした状態で接合させることができるようになるという効果がある。
【図面の簡単な説明】
【００２０】
【図１】本発明の一実施形態の遊技機を前面側から見た正面図である。
【図２】実施形態の遊技機に設けられているセンターケースの構成例を示す分解斜視図である。
【図３】実施形態の演出装置の前面装飾枠の構成例を示す斜視図および正面図である。
【図４】実施形態の遊技機に設けられている演出装置の構成例を示す斜視図である。
【図５】実施形態の演出装置の分解斜視図である。
【図６】実施形態の演出装置の背面図である。
【図７】実施形態の演出装置を構成する左側の下側可動部材の分解斜視図である。
【図８】実施形態の演出装置を構成する右側の下側可動部材の分解斜視図である。
【図９】実施形態の演出装置を構成する左側の上側可動部材の分解斜視図である。
【図１０】実施形態の演出装置を構成する右側の上側可動部材の分解斜視図である。
【図１１】可動部材作動前の演出装置を示す正面図である。
【図１２】可動部材作動途中の演出装置を示す正面である。
【図１３】可動部材作動後の演出装置を示す正面図である。
【図１４】実施形態の可動部材に設けられる吸着装置の構成を示す背面図である。
【図１５】図１３におけるＢ−Ｂ線に沿った断面構造を示す断面平面図である。
【図１６】図１３におけるＡ−Ａ線に沿った断面構造を示す断面平面図である。
【発明を実施するための形態】
【００２１】
以下、本発明の好適な実施の形態を図面に基づいて説明する。
図１は、本発明の一実施形態の遊技機の説明図である。
本実施形態の遊技機１０は、本体枠（外枠）にヒンジを介して開閉回動可能に組み付けられた前面枠１１を備え、該前面枠１１に形成された開口部（図示省略）に遊技盤１２が収納されている。また、前面枠１１には、遊技盤１２の前面を覆うカバーガラスのような透明部材（ガラス板）を保持する透明部材保持枠１３が取り付けられている。
【００２２】
また、透明部材保持枠１３の上部および左右には、内部にランプ等を内蔵し装飾等のための発光をする装飾装置１４が設けられている。前面枠１１の下部には、図示しない打球発射装置に遊技球を供給する上皿１５、上皿１５が一杯になった状態で払い出された遊技球を貯留する下皿１６及び打球発射装置の操作部１７等が設けられている。
この実施形態の遊技機にあっては、遊技者が上記操作部１７を回動操作することによって、打球発射装置が、上皿１５から供給される遊技球を遊技領域に向かって発射することができるように構成されている。
【００２３】
本実施形態の遊技盤１２は、ガイドレール１８で囲まれた略円形状の遊技領域１９を前面に有しており、遊技領域１９のほぼ中央には、前面装飾枠２１および演出装置３０（図２参照）、図柄変動表示ゲームを実行する液晶表示装置４０を備えたセンターケース２０が配置されている。液晶表示装置４０はセンターケース２０にほぼ中央に設けられており、センターケース２０は液晶表示装置４０の周囲を囲う部分が遊技盤１２の表面よりも前方へ突出するように形成されている。
【００２４】
液晶表示装置４０は、ドットマトリックス型の液晶表示器等で構成されており、文字や数字、アルファベットなどの識別情報（図柄）やキャラクタを表示することができる。液晶表示装置４０においては、識別情報として割り当てられた図柄を変動表示（可変表示）して飾り変動表示ゲームが行われ、停止した際にその停止図柄が所定の態様（例えば、「３，３」や「７，７」）になるといわゆる当たりの状態が発生するように構成されている。センターケース２０の下方には、上記液晶表示装置４０における変動表示ゲームの開始条件を与える始動入賞口４１が配置されている。また、この始動入賞口４１の下方には、通常は閉状態にされて遊技球を受け入れ不能で内部に第２の始動入賞口を有する左右に開閉可能な普通変動入賞装置（普電）４２が配設されている。
【００２５】
また、遊技領域１９の所定箇所（例えばセンターケース２０の側方）には、普図変動ゲームの開始条件を与える普図ゲート４３が配設され、上記普通変動入賞装置（普電）４２の下方には、変動表示ゲームの結果に応じて（大当たりや小当たりの場合に）前後に開閉して遊技球を受け入れない状態（入賞不可能状態）と受け入れ易い状態（入賞可能状態）とに変換可能な特別変動入賞装置（大入賞口）４４が配設されている。さらに、図示しないが、遊技領域１９内には、一般入賞口や打球の方向を変える障害釘や風車等の方向転換部材が配設され、遊技領域１９の外側、遊技盤１２の右下隅には、特図１および特図２や普図の変動表示ゲーム等を一箇所で実行する一括表示装置４５が設けられている。
【００２６】
本実施形態の遊技機では、図示しない発射装置から遊技領域１９に向けて遊技球（パチンコ球）が打ち出されることによって遊技が行われる。打ち出された遊技球は、遊技領域１２内の各所に配置された障害釘や風車等の方向転換部材（図示省略）によって転動方向を変えながら遊技領域１９を流下し、始動入賞口４１、普通変動入賞装置４２、特別変動入賞装置（アタッカー）４４、または一般入賞口に入賞するか、遊技領域１９の最下部に設けられたアウト口４６へ流入し遊技領域１９から遊技盤１２の背部へ排出される。
【００２７】
始動入賞口４１、普通変動入賞装置４２、特別変動入賞装置４４、または一般入賞口へ入賞した遊技球は、内部に設けられている検出センサ（スイッチ）によって検出される。これらのセンサによって検出された入賞球検出信号は、遊技盤の裏面に設けられている遊技制御装置へ供給され、賞球排出装置から所定数の賞球が排出される。また、始動入賞口４１へ入賞した遊技球の検出信号は、ＲＡＭ内の記憶領域に始動入賞記憶としてそれぞれ所定回数（例えば４回）を限度に記憶される。そして、遊技制御装置は、始動入賞記憶に基づいて、一括表示装置４５にて変動表示ゲームを行う。また、この変動表示ゲームと並行して、演出制御装置が、遊技制御装置からのコマンドに基づいて、液晶表示装置４０において飾り変動表示ゲームを行う。なお、各変動表示ゲームの結果としての当たりまたは外れの判定は、各始動入賞口への遊技球の入賞が検出された際に抽出される乱数値に基づいて行われる。
【００２８】
一括表示装置４５は、セグメント型の液晶表示器等で構成された変動表示ゲーム用の第１表示部（特図１変動表示器）および第２表示部（特図２変動表示器）と、普図変動表示ゲーム用の第３表示部（普図表示器３３）と、特図１始動記憶数報知用の特図１記憶表示器、特図２始動記憶数報知用の特図２記憶表示器、普図始動記憶数報知用の普図記憶表示器などを備える。
【００２９】
次に、遊技盤１０の中央に設けられるセンターケース２０と演出装置３０の構造について説明する。図２には本実施形態の遊技機の遊技盤１０に設けられているセンターケース２０の分解斜視図が示されている。
図２に示すように、センターケース２０は、中央に開口部２１ａを有する前面装飾枠２１と、該前面装飾枠２１の後方に配置され同じく中央に開口部３０ａを有する演出装置３０と、該演出装置３０の後方に配置され特図変動表示ゲームを実行する液晶表示装置４０とから構成される。前面装飾枠２１は、前面に複数の装飾装置を有する前面枠部材２１１と、ＬＥＤや駆動回路を構成する電子部品が実装された基板を保持し上記前面枠部材２１１の裏面に接合される裏面カバー枠部材２１２とを備える。また、前面装飾枠２１には、上部に上方から開口部２１ａ側へ遊技球が流入するのを防止する庇状の鎧部材２１３が、また両側部には側方から開口部２１ａ側へ遊技球が流入するのを防止する側壁部材２１４が設けられている。前面枠部材２１１は、半透明のプラスチックにより構成され、内部もしくは後方に配設されるＬＥＤなどの発光手段が発光した際に、光を前方へ通すことで装飾効果を高めることができるようになっている。
【００３０】
図示しないが、遊技盤１０は中央には上記前面装飾枠２１の裏面カバー枠部材２１２が係合可能な開口部が形成され、この開口部に上記裏面カバー枠部材２１２が係合するようにして上記前面装飾枠２１が遊技盤１０の前面側に装着される。演出装置３０はその開口部３０ａが、上記遊技盤１０の開口部および上記前面装飾枠２１の開口部２１ａと合致するように、上記遊技盤１０の裏面に装着される。そして、この演出装置３０の裏面に、パチンコ遊技機で一般的に使用されている液晶表示装置４０が装着されてセンターケース２０が構成される。
【００３１】
図３（Ａ）には上記前面装飾枠２１の拡大斜視図が、また図３（Ｂ）には前面装飾枠２１の拡大正面図が示されている。
図３（Ａ）に示すように、前面装飾枠２１は、上部に上方から開口部２１ａ側へ遊技球が流入するのを防止する庇状の鎧部材２１３が、また両側部には側方から開口部２１ａ側へ遊技球が流入するのを防止する側壁部材２１４が設けられている。さらに、前面装飾枠２１の下部には、遊技球が転動可能なステージ部２１５が設けられ、前面装飾枠２１の下方の遊技領域からステージ部２１５へ遊技球が飛び込み可能に構成されている。また、ステージ部２１５の中央には下方の始動入賞口４１（図１参照）へ遊技球を誘導可能な流入口２１６および誘導路２１７が設けられている。
【００３２】
さらに、図３（Ｂ）に示すように、上記前面装飾枠２１の前面枠部材２１１の右側には、歯車を有する図示しない回転軸によって支持されたハート形の可動飾り２１８ａ，２１８ｂ，２１８ｃが設けられており、図示しない１つのモータによって各回転軸の周りに揺動可能に構成されている。また、前面枠部材２１１の右側下部には、歯車を有する図示しない回転軸によって支持された星形の可動飾り２１９が設けられており、図示しない他のモータによって回転可能に構成されている。
【００３３】
図４には上記演出装置３０は拡大斜視図が、また図５には演出装置３０の分解斜視図が示されている。図５に示すように、演出装置３０は、前端に外側に折曲された取付けフランジ３１１が形成された矩形状の枠体３１０と、中央に上記前面装飾枠２１の開口部２１ａに対応した開口部３２１が形成されたプレート状のベース３２０と、一対の下側可動部材３３ａ，３３ｂおよび上側可動部材３４ａ，３４ｂと、これらの可動部材を回動させる駆動モータ３１およびモータの回転を可動部材に伝えるための駆動歯車３２とを備える。
【００３４】
また、演出装置３０は、ＬＥＤ（発光素子）およびその駆動回路が実装された発光装飾基板３５ａ，３５ｂと、これらの発光装飾基板を保持する透明なプレート３６と、上記駆動歯車３２の前方を覆うカバー３７とを備える。上記可動部材３３ａ，３３ｂおよび３４ａ，３４ｂ、駆動モータ３１、駆動歯車３２、発光装飾基板３５ａ，３５ｂと、透明プレート３６、カバー３７は、上記ベース３２０の前面の所定箇所に装着される。上記枠体３１０の後端には内側に折曲された折曲片３１２が形成されており、ベース３２０が枠体３１０に収納され背面周縁部が折曲片３１２に接合されてネジ止めされるように構成されている。
【００３５】
上記可動部材３３ａ，３３ｂおよび３４ａ，３４ｂは、図１３に示すような「ハート」の形状をなす枠部材を縦方向と横方向に４分割したときに生じる湾曲した形状を有する装飾部材３３１ａ，３３１ｂおよび３４１ａ，３４１ｂを備え、各装飾部材３３１ａ，３３１ｂおよび３４１ａ，３４１ｂには、それぞれ支持アーム３３２ａ，３３２ｂおよび３４２ａ，３４２ｂと、ガイドアーム３３３ａ，３３３ｂおよび３４３ａ，３４３ｂが設けられている。また、この実施形態においては、上側可動部材３４ａ，３４ｂの支持アーム３４２ａと３４２ｂとは、図６に示すように、互いにＸ状に交差してベース３２０の前面の所定箇所に装着されるように構成されている。
【００３６】
さらに、上側可動部材３４ａ，３４ｂの支持アーム３４２ａ，３４２ｂの端部には、図４及び図６に示すように、上記駆動歯車３２に噛み合う従動歯車３４４ａ，３４４ｂが固着され、下側可動部材３３ａ，３３ｂの支持アーム３３２ａ，３３２ｂの端部には、上記従動歯車３４４ａ，３４４ｂに噛み合う従動歯車３３４ａ，３３４ｂが固着されている。そして、従動歯車３４４ａの軸穴は、ベース３２０の上部に植設されているピン３２４ａに係合されており、従動歯車３４４ａおよび上側可動部材３４ａはピン３２４ａを回転中心として回動する。また、従動歯車３４４ｂの軸穴は、ベース３２０の上部に植設されているピン３２４ｂに係合されており、従動歯車３４４ｂおよび上側可動部材３４ｂはピン３２４ｂを回転中心として回動する。
【００３７】
一方、従動歯車３３４ａの軸穴は、ベース３２０の上部に植設されているピン３２３ａに係合されており、従動歯車３３４ａおよび下側可動部材３３ａはピン３２３ａを回転中心として回動する。また、従動歯車３３４ｂの軸穴は、ベース３２０の上部に植設されているピン３２３ｂに係合されており、従動歯車３３４ｂおよび下側可動部材３３ｂはピン３２３ｂを回転中心として回動する。
【００３８】
上述したように本実施形態では、支持アーム３４２ａと３４２ｂをＸ状に交差させるようにしているため、１つのモータで可動部材を作動させるように構成する場合に、歯車の数を少なくすることができる。すなわち、本実施形態のようにハート形の部材を分割して、各部材を接合、離反可能に構成する場合、上側可動部材３４ａと下側可動部材３３ａおよび上側可動部材３４ｂと下側可動部材３３ｂはそれぞれ同一の方向へ回動させる必要がある。
そのため、仮に支持アーム３４２ａと３４２ｂを交差させないこととすると、歯車３４４ａと３４４ｂの位置関係は図とは左右逆になるので、歯車３４４ａと３３４ａとの間および歯車３４４ｂと３３４ｂとの間にそれぞれもう一つ歯車を介在させなくてならなくなる。しかるに、本実施形態では、支持アーム３４２ａと３４２ｂを交差させるようにしているため、歯車の数を少なくすることができる。また、歯車の数が少なくて済むため、歯車３３４ａ，３３４ｂおよび３４４ａ，３４４ｂの径を大きくすることができ、それによって駆動歯車３２との歯数比を大きくして比較的小さな駆動力のモータで作動させることが可能となる。
【００３９】
また、本実施形態では、ガイドアーム３３３ａ，３３３ｂおよび３４３ａ，３４３ｂは、可動部材が離反した状態なる通常状態では、前面装飾枠２１の前面枠部材２１１によって前方から見えないような位置に設けられ、上側可動部材３４ａ，３４ｂのガイドアーム３４３ａ，３４３ｂは、下側可動部材３３ａ，３３ｂの支持アーム３３２ａ，３３２ｂの後方に重なるように配置され、可動部材が互いに接合する方向へ移動する際および互いに当接した状態で支持アーム３３２ａ，３３２ｂの後方に位置するように構成されている。すなわち、駆動モータ３１が作動して、可動部材３３ａ，３３ｂおよび３４ａ，３４ｂが液晶表示装置４０の表示画面の前方へ移動される際に、前面装飾枠２１の前方からは下側可動部材３３ａ，３３ｂの支持アーム３３２ａ，３３２ｂのみが見え、上側可動部材３４ａ，３４ｂの支持アーム３４２ａ，３４２ｂとガイドアーム３４３ａ，３４３ｂは見えないように工夫されている。
【００４０】
ガイドアーム３３３ａ，３３３ｂの先端にはガイドピン３３５ａ，３３５ｂが植設されており、該ガイドピンはベース３２０に形成されている細長いガイド孔３２５ａ，３２５ｂに係合され、ガイド孔によって案内される。また、支持アーム３３２ａ，３３２ｂにもガイドピン３３６ａ，３３６ｂが植設されており、該ガイドピンはベース３２０に形成されているガイド孔３２６ａ，３２６ｂに係合され、ガイド孔によって案内される。一方、ガイドアーム３４３ａ，３４３ｂの先端にもガイドピン３４６ａ，３４６ｂが植設されており、該ガイドピンはベース３２０に形成されている細長いガイド孔３２７ａ３２７ｂに係合され、ガイド孔によって案内されるようになっている。また、支持アーム３４２ａ，３４２ｂにもガイドピン３４７ａ，３４７ｂが植設されており、該ガイドピンはベース３２０に形成されているガイド孔３２８ａ，３２８ｂに係合され、ガイド孔によって案内される。
【００４１】
図７には上記下側可動部材３３ａの分解斜視図が、また図８には下側可動部材３３ｂの分解斜視図が示されている。図７に示すように、下側可動部材３３ａは、支持アーム３３２ａとガイドアーム３３３ａとの間に複数の円形の透孔ＨＬ１を有する支持片３３７ａが設けられ、該支持片３３７ａの前面に複数の星形の透孔ＨＬ２を有する前記装飾部材３３１ａが装着される。また、支持片３３７ａの背面に、上記円形の透孔ＨＬ１に対応した位置にＬＥＤ（発光素子）を有するＬＥＤ基板３３８ａが装着され、さらにＬＥＤ基板３３８ａの背面および支持アーム３３２ａの背面を覆うように裏面カバー３３９ａが装着されるようになっている。さらに、ガイドアーム３３３ａの基部には、後述の吸着装置３５０を構成する被吸着部材３５２を保持するホルダー３５３Ａが取り付けられる係合凹部３３３Ａが設けられている。
【００４２】
図８に示されている下側可動部材３３ｂは、図７の下側可動部材３３ａほぼ同一の構成であり、前面に装飾部材３３１ｂが装着される支持片３３７ｂ、支持片３３７ｂの背面に装着されるＬＥＤ基板３３８ｂ、ＬＥＤ基板３３８ｂおよび支持アーム３３２ｂの背面を覆うように裏面カバー３３９ｂを備える。さらに、ガイドアーム３３３ｂの基部には、後述の吸着装置３５０を構成する吸着部材３５１を保持するホルダー３５３Ｂが取り付けられる係合凹部３３３Ｂが設けられている。可動部材にＬＥＤ基板を設けているため、可動部材が発光手段を内蔵することとなり、可動部材が表示装置の前方四隅にそれぞれ位置している通常状態でも、可動部材に内蔵されている発光手段を発光させると前面装飾枠を明るく光らせることができるため、可動部材が表示装置の中央側へ移動した演出状態はもちろん通常状態でも演出効果を発揮させることができる。
【００４３】
図９には上記上側可動部材３４ａの分解斜視図が、また図１０には上側可動部材３４ｂの分解斜視図が示されている。図９に示すように、上側可動部材３４ａは、支持アーム３４２ａとガイドアーム３４３ａとの間に複数の円形の透孔ＨＬ１を有する支持片３４７ａが設けられ、該支持片３４７ａの前面に複数の星形の透孔ＨＬ２を有する前記装飾部材３３１ａが装着される。また、支持片３４７ａの背面に、上記円形の透孔ＨＬ１に対応した位置にＬＥＤ（発光素子）を有するＬＥＤ基板３４８ａが装着され、さらにＬＥＤ基板３４８ａの背面および支持アーム３４２ａの背面を覆うように裏面カバー３４９ａが装着されるようになっている。さらに、支持アーム３４２ａの基部もしくは支持片３４７ａの支持アーム側の基部には、後述の吸着装置３５０を構成する吸着部材３５１を保持するホルダー３５３Ｂが取り付けられる係合凹部３４３Ａが設けられている。
【００４４】
図１０に示されている上側可動部材３４ｂは、図９の上側可動部材３４ａほぼ同一の構成であり、前面に装飾部材３４１ａが装着される支持片３４７ｂ、支持片３４７ｂの背面に装着されるＬＥＤ基板３４８ｂ、ＬＥＤ基板３４８ｂおよび支持アーム３４２ｂの背面を覆うように裏面カバー３４９ｂを備える。さらに、支持アーム３４２ｂの基部もしくは支持片３４７ｂの支持アーム側の基部には、後述の吸着装置３５０を構成する被吸着部材３５２を保持するホルダー３５３Ａが取り付けられる係合凹部３４３Ｂが設けられている。
【００４５】
図１１〜図１３には、前面装飾枠２１を外した状態の演出装置３０による上側可動部材３４ａ，３４ｂと下側可動部材３３ａ，３３ｂを作動させた場合の様子が示されている。このうち、図１１は可動部材の移動前の状態、図１２は可動部材の移動途中の状態、図１３は可動部材の移動後の状態を示す。なお、図１２においては、発光装飾基板３５ａ，３５ｂとこれらの発光装飾基板を保持する透明なプレート３６を外した状態が示されている。
【００４６】
図１３に示すように、モータ３１を駆動して可動部材３４ａ，３４ｂと３３ａ，３３ｂを完全に移動させると、可動部材前面の装飾部材３４１ａ，３４１ｂと３３１ａ，３３１ｂによって、液晶表示装置４０の表示画面の手前でハート形が形成されるような演出が行われる。また、可動部材が作動される際に、装飾部材３４１ａ，３４１ｂと３３１ａ，３３１ｂの内部のＬＥＤが点灯あるいは点滅されて、さらに演出効果を高めることができるようになっている。
【００４７】
ところで、可動部材３３ａ，３３ｂの回動中心は、それぞれ歯車３３４ａ，３３４ｂの回転軸であるため、ハート形の可動部際の下端は回動中心からかなり離れることとなる。そのため、何ら対策をしない場合には、可動部材３３ａ，３３ｂを構成する各部品のわずかな組付け誤差によって、可動部材３３ａ，３３ｂを最終位置まで回動させたときに、装飾部材３３１ａと３３１ｂの先端同士が開いた状態で停止してしまうおそれがある。
【００４８】
そこで、本実施形態の演出装置３０においては、前述したように、支持アーム３４２ｂの基部に磁石のような吸着部材３５１を取り付ける一方、支持アーム３４２ａの基部には、磁石に吸着される鉄片（磁性体片）のような被吸着部材３５２を取り付けるようにした。また、同様の理由からガイドアーム３４３ａの基部に磁石のような吸着部材３５１を取り付ける一方、ガイドアーム３４３の基部には、磁石に吸着される鉄片（磁性体片）のような被吸着部材３５２を取り付けるようにした。吸着部材３５１と被吸着部材３５２とによって吸着装置３５０が構成される。吸着装置３５０を設けたことよって、装飾部材３３１ａと３３１ｂの先端同士および装飾部材３４１ａと３４１ｂの先端同士が開いた状態で停止してしまうのを防止し、接合した状態の装飾部材のなすハート形が歪んで見えてしまうのを回避することができるようになる。さらに、前記吸着手段を磁石、また被吸着手段を磁性体片としたことにより、吸着手段と被吸着手段をそれぞれ１つの部品で安価に構成することができる。
【００４９】
さらに、磁石を装着したとしても、演出装置３０の大きさの制約から可動部材の先端にあまり大きな磁石を装着することができないため、充分に大きな吸着力が得られなくなるので、組付け誤差が比較的大きくなると装飾部材の先端同士を完全に閉じた状態にすることが困難である。そこで、吸着部材３５１と被吸着部材３５２を、それぞれ余裕を持たせてつまり若干移動可能な状態で取り付けるようにしている。以下、その構造について、図１４〜図１６を用いて説明する。このうち、図１４は、吸着部材３５１と被吸着部材３５２を、それを保持するホルダーごと取り出して後方から見た状態が示す。また、図１５は図１０のＢ−Ｂ線に沿った断面図、図１６は図１０のＢ−Ｂ線に沿った断面図である。
【００５０】
図１４に示すように、吸着部材３５１と被吸着部材３５２は、これらの部材を収納する収納凹部３５３ａ，３５３ｂを有する合成樹脂製のホルダー３５３Ａ，３５３Ｂ内にそれぞれ収納された状態で、下側可動部材のガイドアーム３３３ａ，３３３ｂの基部の係合凹部３３３Ａ，３３３Ｂに取り付けられている。上側可動部材の支持アーム３４２ａ，３４２ｂに関しても同様である。異なるのは、下側可動部材と上側可動部材とでは、取り付けられる吸着部材３５１と被吸着部材３５２との関係が左右逆すなわち下側可動部材では正面から見て右側に吸着部材３５１が配置され、左側に被吸着部材３５２が配置されているのに対し、上側可動部材では正面から見て左側に吸着部材３５１が配置され、右側に被吸着部材３５２が配置されている。このように、吸着部材３５１と被吸着部材３５２との関係を、上下で逆にすることによって、吸着力がバランスするようになるという利点がある。なお、図１４において、３５４はホルダー３５３Ａ，３５３Ｂを、ガイドアーム３３３ａ，３３３ｂの基部の係合凹部３３３Ａ，３３３Ｂに取り付ける際の位置決め用の穴である。図示しないが、ガイドアーム３３３ａ，３３３ｂには、該位置決め穴３５４と係合する突起が形成されている。
【００５１】
ところで、吸着装置としては、２つとも磁石を使用して互いにＮ極とＳ極とが向かい合うように取り付ける方法も考えられる。しかしながら、そのように設計すると、形状が同じであるため、組立工程で互いのＮ極を向かい合うように誤って取り付けてしまうおそれがあり、その場合、磁石の反発力によって装飾部材の先端同士が却って離れてしまうという不具合が発生する。これに対し、本実施形態では、収納凹部３５３ａと３５３ｂの形状およびホルダー３５３Ａと３５３Ｂの形状がそれぞれ異なるため、組立工程で吸着部材３５１と被吸着部材３５２を設計と逆に取り付けるおそれもない。
【００５２】
下側可動部材では正面から見て右側に吸着部材３５１が配置している理由は、図３（Ｂ）に示すように、前面装飾枠２１の前面右下には、演出効果を高めるために回転する星形の可動飾り２１９が設けられており、その近傍に配設される発光装飾基板３５ａ，３５ｂは発光装飾基板３５ａよりも３５ｂを小さくするので、この小さい基板側に磁石が位置するように設定するためである。つまり、吸着部材３５１としての磁石の磁力は、電子部品が実装されている基板の回路に悪影響を与えるおそれがあるが、小さい発光装飾基板３５ｂに近い側に吸着部材３５１としての磁石を配置することによって、逆に配置する場合に比べて磁力が基板に及ぼすトータルの影響を小さくすることができるという利点がある。
【００５３】
また、本実施形態においては、ホルダー３５３Ａ，３５３Ｂの収納凹部３５３ａ，３５３ｂは、各々吸着部材３５１や被吸着部材３５２の外形に比べて若干大きく形成されることによって、内部で吸着部材３５１と被吸着部材３５２が移動可能に収納されている。これにより、可動部材が接近したときに、吸着部材３５１と被吸着部材３５２とが引き合って接近する方向へ移動し、その吸着力でガイドアーム３３３ａと３３３ｂとが接近し、ホルダー３５３Ａと３５３Ｂとが接合して位置決めを行うとともに装飾部材３３１ａと３３１ｂとの間に隙間が生じないように構成されている。
【００５４】
さらに、本実施形態においては、収納凹部３５３ａ，３５３ｂをガイドアームに設けず、収納凹部３５３ａ，３５３ｂを有するホルダー３５３Ａ，３５３Ｂを設け、該ホルダーをガイドアームに固定するのではなく、ガイドアームの係合凹部３３３Ａ，３３３Ｂと支持アームの係合凹部３４３Ａ，３４３Ｂに遊嵌させることによって、ホルダー３５３Ａ，３５３Ｂ自身も若干移動できるようにして遊びを持たせている。これにより、磁石の吸着力で当接する際の衝撃によって可動部材が磨耗したり、劣化、破損するのを回避できるとともに、組付け誤差で生じる隙間の大小にも対応することができるようになるという利点がある。
【００５５】
以上本発明者によってなされた発明を実施形態に基づき具体的に説明したが、今回開示した実施形態は、全ての点で例示であって制限的なものではない。例えば、前記実施形態では、下側可動部材３３ａ，３３ｂと上側可動部材３４ａ，３４ｂにそれぞれガイドアームを設けているが、これらのガイドアーム特に上側可動部材３４ａ，３４ｂのガイドアームは省略するように構成してもよい。また、前記実施形態では、センターケースの前面装飾枠の右側下部に第２の可動部材２１９を設けているが、この可動部材は省略しても良い。さらに、前記実施形態の絵出装置を備えたセンターケースを設ける遊技盤の構成も、図１に示されているものに限定されるものでない。
【符号の説明】
【００５６】
１０    遊技機
１１    前面枠
１２    遊技盤
１９    遊技領域
２０    センターケース
２１    前面装飾枠
３０    演出装置
３１    モータ
３３ａ，３３ｂ  下側可動部材
３４ａ，３４ｂ  上側可動部材
３５ａ，３５ｂ  発光装飾基板
３６  透明プレート
３３１ａ，３３１ｂ，３４１ａ，３４１ｂ  装飾部材
４０    液晶表示装置（表示装置）
４１    始動入賞口
４５    一括表示装置
３１０  枠体
３２０  ベース
３５０  吸着装置
３５１  吸着手段
３５２  被吸着手段
３５３  ホルダー
【図１】
2011125588.tif 000003
【図２】
2011125588.tif 000004
【図３】
2011125588.tif 000005
【図４】
2011125588.tif 000006
【図５】
2011125588.tif 000007
【図６】
2011125588.tif 000008
【図７】
2011125588.tif 000009
【図８】
2011125588.tif 000010
【図９】
2011125588.tif 000011
【図１０】
2011125588.tif 000012
【図１１】
2011125588.tif 000013
【図１２】
2011125588.tif 000014
【図１３】
2011125588.tif 000015
【図１４】
2011125588.tif 000016
【図１５】
2011125588.tif 000017
【図１６】
2011125588.tif 000018